(57)【要約】【課題】  ページの大きさの自由な展開を容易とし、より適切で効果的な配置表現を可能とできる小冊子を封入した封書を提供する。【解決手段】  ２つ折にして定形郵便サイズとなる少なくとも縦方向一周辺に封筒形成の接着用縁取りを設けたシート２と、シート２の見開き面の接着用縁取りを除いた左端部２Ａに綴じ代１０Ａを添着した小冊子１０とを備えた小冊子封入封書とする。【選択図】        図３
0003108728.tif 000002
【実用新案登録請求の範囲】
【請求項１】
２つ折にして定形郵便サイズとなる少なくとも縦方向一周辺に封筒形成の接着用縁取りを設けたシートと、前記シートの見開き面の前記接着用縁取りを除いた左端部に綴じ代を添着した小冊子とを備えたことを特徴とする小冊子封入封書。
【請求項２】
前記シートの三周辺に封筒形成の接着用縁取りを設けたことを特徴とする請求項１記載の小冊子封入封書。
【請求項３】
前記小冊子の各ページが表示項目の必要に合わせた長さの展開可能な折込形式とされていることを特徴とする請求項１又は２記載の小冊子封入封書。
【請求項４】
前記小冊子の裏面ページに表記の項目と次の表面ページに表記の項目とを見開き表記項目に用いたことを特徴とする請求項１乃至３のいずれか１項に記載の小冊子封入封書。
【請求項５】
前記接着用縁取りの内側に開封用ミシン目を加えたことを特徴とする請求項１乃至４のいずれか１項に記載の小冊子封入封書。
【考案の詳細な説明】
【技術分野】
【０００１】
この考案は小冊子を封入した封書に関する。特に、案内書、商品紹介書などの小冊子を封入した封書に関する。
【背景技術】
【０００２】
従来の技術として、小冊子のような分厚いものを機械によって短時間で封入するため、２つ折で定型郵便サイズとなる１枚のシートの内面の折り線部に小冊子を接着固定する接着面を設け、シートの三周辺に小冊子を封入し、封筒を形成する接着面を設けた封筒形成シートが開示されている（例えば、実用新案文献１参照）。
【考案の開示】
【考案が解決しようとする課題】
【０００３】
しかしながら、上記従来の技術では、見開き型の小冊子の封入を考えており、開封後の最初のページは、見開きの半分の１ページとなり、その後の見開き時点でも、小さな２ページ分である。このため、展開して一覧で見せたい、また、比較のため大きなスペースが必要となる場合には、配置表現が自由になりにくかった。
【０００４】
そこで、本考案が解決しようとする課題は、ページの大きさの自由な展開を容易とし、より適切で効果的な配置表現を可能とできる小冊子を封入した封書を提供することにある。
【課題を解決するための手段】
【０００５】
上記課題を解決するため、請求項１に記載の考案では、２つ折にして定形郵便サイズとなる少なくとも縦方向一周辺に封筒形成の接着用縁取りを設けたシートと、前記シートの見開き面の前記接着用縁取りを除いた左端部に綴じ代を添着した小冊子とを備えた小冊子封入封書とする。これによって、シートを開封したときの最初のページは、シートとほぼ同じ大きさとすることが容易となり、これに伴い各ページの大きさも大きくとれ、その小冊子の見開きページも大きくすることが容易となりページスペースの展開の自由度が増す。
【０００６】
請求項２に記載の考案では、請求項１に記載の考案にさらに前記シートの三周辺に封筒形成の接着用縁取りを設けた小冊子封入封書としたため、機密保持と小冊子のページの封書内への完全な封入ができる。
【０００７】
請求項３に記載の考案は、請求項１又は２に記載の考案に、前記小冊子の各ページが表示項目の必要に合わせた長さの展開可能な折込形式とした小冊子封入封書とした。このため、文書の必要に応じページをより容易に大小展開できる。
【０００８】
請求項４に記載の考案では、請求項１乃至３のいずれか１項に記載の考案に、前記小冊子の裏面ページに表記の項目と次の表面ページに表記の項目とを見開き表記項目に用いた小冊子封入封書とする。これによって、さらに対比表示、経過表示等に使いやすい小冊子封入封書とすることができる。
【０００９】
請求項５に記載の考案では、請求項１乃至４のいずれか１項に記載の考案に加え、前記接着用縁取りの内側に開封用ミシン目を加えた小冊子封入封書とする。これにより、開封が容易となるだけでなく、小冊子を傷つけることなく開封が行えるものとなる。
【考案の効果】
【００１０】
本考案によれば、シートの見開き面の前記接着用縁取りを除いた左端部に小冊子の綴じ代を添着した小冊子封入封書としたことによって、シートを開封したときの最初のページは、シートとほぼ同じ大きさとすることが容易となり、各ページの大きさも大きくとれ、その小冊子の見開きページも大きくすることが容易となる。
【考案を実施するための最良の形態】
【００１１】
以下本考案の実施の形態を図を参照しつつ説明する。
【００１２】
図１乃至図１３は、本考案による一実施の形態としての小冊子を封入した封書に関するもので、図１乃至図３は、その主な構造的構成を示す。図４乃至図１３は、小冊子の各ページの概観を示す。この実施の形態は、自動車保険の更新案内用の封書の例である。
【００１３】
小冊子を封入した封書１は、２つ折にして定形郵便サイズとなる三周辺に封筒形成の接着用縁取り７を設けたシート２と、シート２の見開き面の接着用縁取りを除いた左端部すなわち縦方向一周辺内側に沿った左端部２Ａに綴じ代１０Ａを添着した小冊子１０とを備える。
【００１４】
図１は、小冊子を封入し閉じた封書の表面側の概要を示す外観図で、三周辺の封筒形成のそれぞれの接着用縁取り７Ａ，７Ｂ，７Ｃを備え、これらとシート２の内側との境にミシン目９が、それぞれの接着用縁取り７Ａ，７Ｂ，７Ｃの切り取り容易のため設けられている。封書１の表面３側のシート２の面には、郵便料金後納スタンプ、あて名（あて先）、お知らせ内容の明記、この例では、「自動車保険更新のお知らせ」であることの明記、連絡先、差出人名などが記載されている。図２は、図１の小冊子を封入し閉じた封書の裏面側の概要を示す外観図で、表面側に対応して、それぞれの接着用縁取り７Ａ，７Ｂ，７Ｃが設けられており、これらとシート２の内側との境にミシン目９が、それぞれの接着用縁取り７Ａ，７Ｂ，７Ｃの切り取り容易のため備えられている。封書１の裏面５側のシート２の面には、封書１の内容、この場合、自動車保険情報であることの記載、通信欄の枠などが設けられている。
【００１５】
図３は、図１の小冊子を封入した封書１を接着用縁取り７を切り取り開封して開いた状態の概要を示す見開き外観図で、シート２の縦方向一周辺内側に沿った左端部２Ａに綴じ代１０Ａを添着した小冊子１０を備える。小冊子１０は、フロントページ１１、（その裏面に当たる第２ページは見えないため特に数字も表示せず、以下同様）、第３ページ１３、第５ページ１５、第７ページ１７、第９ページ１９が示されている。フロントページ１１は、シート２の接着用縁取り７を切り取り見開きとした状態とほぼ同じ（少し小さめであるが）大きさで、他のページはこの実施の形態では、Ａ４サイズにほぼ等しいフロントページ１１を半ページ分延展した大きさである。
【００１６】
小冊子１０の各ページについては、さらに、図４乃至図１３を参照しつつ説明する。
【００１７】
図４は、小冊子１０のフロントページ１１の概観図で、シート２の見開きの大きさに近いフロントページ１１には、比較的ゆったりとこの案内の小冊子１０全体の内容のガイドを配列記載してある。もし小冊子がシートの２つ折りの折り目部分（中央）に添着されると、封書の封を切った直後は、宛名面（この例ではシート２の封書表面３側となっている。）の裏面と小冊子のフロントページの見開きにこの案内のガイドを記載することになるが、右側が折り畳まれている（小冊子の）ため、１つの面としては使いにくい。小冊子のフロントページも開封後見易くするには、この例の半分となり、ガイドの記載内容及び配置も制限を受けることになる。封を切った直後の面は、この封書が満期案内であることと記載されている内容のガイドをまず記載すべきである。開封後畳まれた面を展開することも考えられるが、最初の面は情報量を絞って、次のページ以降を見たいという興味を抱いてもらうためのページとすることが望ましい。
【００１８】
図５には、小冊子１０の第２ページ１２の概観図を示す。フロントページ１１の裏面でフロントページと同じ大きさである。フロントページ１１の「ご契約条件を確認しましょう！」の内容を展開し、基本的な主な運転者、契約者、運転者の範囲および年齢条件の確認を求める。図６は、小冊子１０の第３ページ１３の概観図で、第３ページ１３は、フロントページ１１よりは、横に半ページ長い。第２ページ１２と見開きで、フロントページ１１の「ご契約条件を確認しましょう！」の内容を展開して示す。第３ページ１３には、現在ご加入のご契約の内容が明記されている。契約条件の確認と現在加入中の契約とは、見開きで見せるのが分かり易く効果的な部分項目であり、この実施の形態ではそれが実現されている。
【００１９】
図７には、小冊子１０の第４ページ１４の概観図を、図８には、小冊子１０の第５ページ１５の概観図を示す。これらのページは、第３ページ１３と同じ大きさであり、第４ページ１４と第５ページ１５との見開きでフロントページ１１の「これだけは確認しましょう！補償見直しのチェックポイント。」の内容を展開して示している。第４ページ１４には、賠償、ケガの補償、車の補償などの見直し確認項目の説明がされている。第５ページ１５には、さらに、第４ページ１４の項目を基に、更新（継続）契約のプランＡとプランＢが、現在の加入契約と対比して示される。このように、補償内容のチェックとおすすめプランの提案とは見開きで見せるのが分かり易く効果的な部分項目であり、この実施の形態ではそれが実現されている。
【００２０】
図９には、小冊子１０の第６ページ１６の、図１０には、小冊子１０の第７ページ１７の概観図を示す。これらのページは、第３ページ１３と同じ大きさであり、第６ページ１６には、新商品（自動車保険）の説明を、第７ページ１７には、更新を迎える契約と、この新商品による前年同条件プランによる契約の内容を記載している。第６ページ１６と第７ページ１７も見開きで、新商品の説明と具体例を展開して、分かり易く効果的な実施の形態となっている。
【００２１】
図１１には、小冊子１０の第８ページ１８の概観図を示す。このページも、第３ページ１３と同じ大きさであり、第８ページ１８には、このページのみを用いて、変更が生じた場合の連絡、事故対応サービス体制を記載している。
【００２２】
図１２には、小冊子１０の第９ページ１９の、図１３には、小冊子１０の第１０ページ２０の概観図を示す。これらのページは、第３ページ１３と同じ大きさであり、両ページには重要事項等の説明を記載している。この重要事項等は、まとめて説明を配置したいところである。
【００２３】
上記のように、自動車保険の更新案内であっても、契約条件の確認と現在の契約、補償内容のチェックとおすすめプランの提案など、見開きで見せたい部分、前年同条件と自動更新プラン、重要事項等説明書など、できれば単体で説明したい部分がある。上記の実施の形態ではこれらの要望への対応がより容易となる。
【産業上の利用可能性】
【００２４】
以上のように、本考案による小冊子を封入した封書は、各種の案内、商品やサービスの紹介メールとして有用である。
【図面の簡単な説明】
【００２５】
【図１】本考案による一実施の形態としての小冊子を封入し閉じた封書の表面側の概要を示す外観図である。
【図２】図１の小冊子を封入し閉じた封書の裏面側の概要を示す外観図である。
【図３】図１の小冊子を封入した封書を接着用縁取りを切り取り開封して開いた状態の概要を示す見開き外観図である。
【図４】図１の実施の形態に用いた小冊子のフロントページの概観図である。
【図５】図１の実施の形態に用いた小冊子の第２ページ（フロントページの裏面側のページ）の概観図である。
【図６】図１の実施の形態に用いた小冊子の第３ページの概観図である。
【図７】図１の実施の形態に用いた小冊子の第４ページの概観図である。
【図８】図１の実施の形態に用いた小冊子の第５ページの概観図である。
【図９】図１の実施の形態に用いた小冊子の第６ページの概観図である。
【図１０】図１の実施の形態に用いた小冊子の第７ページの概観図である。
【図１１】図１の実施の形態に用いた小冊子の第８ページの概観図である。
【図１２】図１の実施の形態に用いた小冊子の第９ページの概観図である。
【図１３】図１の実施の形態に用いた小冊子の第１０ページの概観図である。
【符号の説明】
【００２６】
１  封書、２  シート、２Ａ  左端部、３  封書１の表面、５  封書１の裏面、７，７Ａ，７Ｂ，７Ｃ  接着用縁取り、９  ミシン目、１０  小冊子、１０Ａ  綴じ代、１１  フロントページ、１２  第２ページ、１３  第３ページ、１４  第４ページ、１５  第５ページ、１６  第６ページ、１７  第７ページ、１８  第８ページ、１９  第９ページ、２０  第１０ページ。
【図１】
0003108728.tif 000003
【図２】
0003108728.tif 000004
【図３】
0003108728.tif 000005
【図４】
0003108728.tif 000006
【図５】
0003108728.tif 000007
【図６】
0003108728.tif 000008
【図７】
0003108728.tif 000009
【図８】
0003108728.tif 000010
【図９】
0003108728.tif 000011
【図１０】
0003108728.tif 000012
【図１１】
0003108728.tif 000013
【図１２】
0003108728.tif 000014
【図１３】
0003108728.tif 000015
【手続補正書】
【提出日】平成16年11月25日(2004.11.25)
【手続補正１】
【補正対象書類名】明細書
【補正対象項目名】０００２
【補正方法】変更
【補正の内容】
【０００２】
従来の技術として、小冊子のような分厚いものを機械によって短時間で封入するため、２つ折で定型郵便サイズとなる１枚のシートの内面の折り線部に小冊子を接着固定する接着面を設け、シートの三周辺に、小冊子を封入し封筒を形成する接着面を設けた封筒形成シートが開示されている（例えば、特許文献１参照）。
【特許文献１】実開平５−０５８３４５号公報（要約、図１）
【手続補正書】
【提出日】平成16年12月8日(2004.12.8)
【手続補正１】
【補正対象書類名】図面
【補正対象項目名】図９
【補正方法】変更
【補正の内容】
【図９】
0003108728.tif 000016